(57)【特許請求の範囲】
【請求項１】
食器洗浄装置及び給湯栓へ給湯する給湯管に接続され、前記給湯管に対する給湯温度の設定値を、第一設定温度と、前記食器洗浄装置での食器洗浄に適した温度である第二設定温度とに切り替える手段を有する給湯装置と、
前記食器洗浄装置へ給湯する場合に、前記給湯温度の設定値を前記第一設定温度から前記第二設定温度へ自動で変更する手段と、
前記給湯温度の設定値を前記第一設定温度から前記第二設定温度へ自動で変更する前に、前記給湯温度の設定値が変わることを報知する温度変更予告を行う手段と、
前記給湯栓がある場所における人の有無に関する情報を取得する手段と、
を備え、
前記場所に人がいる場合には前記温度変更予告を行い、前記場所に人がいない場合には前記温度変更予告を行わない給湯システム。
【請求項２】
前記温度変更予告が行われずに前記給湯温度の設定値が前記第一設定温度から前記第二設定温度へ変更された後に、前記場所に人がいることが検知された場合に、前記給湯温度の設定値が前記第二設定温度に変更されていることを報知する手段を備える請求項１に記載の給湯システム。
【請求項３】
食器洗浄装置及び給湯栓へ給湯する給湯管に接続され、前記給湯管に対する給湯温度の設定値を、第一設定温度と、前記食器洗浄装置での食器洗浄に適した温度である第二設定温度とに切り替える手段を有する給湯装置と、
前記食器洗浄装置へ給湯する場合に、前記給湯温度の設定値を前記第一設定温度から前記第二設定温度へ自動で変更する手段と、
前記給湯温度の設定値を前記第一設定温度から前記第二設定温度へ自動で変更する前に、前記給湯温度の設定値が変わることを報知する温度変更予告を行う手段と、
前記給湯栓がある場所にある少なくとも一つの電気機器の状態である近隣機器状態に関する情報を取得する手段と、
を備え、
現状の前記近隣機器状態が、前記場所に人がいる可能性が高いとみなせる第一パターンに該当する場合には前記温度変更予告を行い、現状の前記近隣機器状態が、前記場所に人がいる可能性が低いとみなせる第二パターンに該当する場合には前記温度変更予告を行わない給湯システム。
【請求項４】
前記第一パターン及び前記第二パターンの一方または両方の内容をユーザーが変更可能である請求項３に記載の給湯システム。
【請求項５】
前記温度変更予告が行われずに前記給湯温度の設定値が前記第一設定温度から前記第二設定温度へ変更された後に、前記近隣機器状態が変化して前記第一パターンに該当するようになった場合に、前記給湯温度の設定値が前記第二設定温度に変更されていることを報知する手段を備える請求項３または請求項４に記載の給湯システム。
【請求項６】
食器洗浄装置及び給湯栓へ給湯する給湯管に接続され、前記給湯管に対する給湯温度の設定値を、第一設定温度と、前記食器洗浄装置での食器洗浄に適した温度である第二設定温度とに切り替える手段を有する給湯装置と、
前記食器洗浄装置へ給湯する場合に、前記給湯温度の設定値を前記第一設定温度から前記第二設定温度へ自動で変更する手段と、
前記給湯温度の設定値を前記第一設定温度から前記第二設定温度へ自動で変更する前に、前記給湯温度の設定値が変わることを報知する温度変更予告を行う手段と、
前記給湯栓への給湯の有無を検知する手段と、
前記給湯栓がある場所にある少なくとも一つの電気機器の状態である近隣機器状態に関する情報を取得する手段と、
前記近隣機器状態を分類した複数のパターンの各々のときに前記給湯栓への給湯が実施される確率を学習する手段と、
を備え、
現状の前記近隣機器状態が該当する前記パターンにおける前記確率が基準に比べて大きい場合には前記温度変更予告を行い、そうでない場合には前記温度変更予告を行わない給湯システム。
【請求項７】
前記温度変更予告が行われずに前記給湯温度の設定値が前記第一設定温度から前記第二設定温度へ変更された後に、前記近隣機器状態が、前記確率が前記基準に比べて大きい前記パターンに該当するように変化した場合に、前記給湯温度の設定値が前記第二設定温度に変更されていることを報知する手段を備える請求項６に記載の給湯システム。
【請求項８】
食器洗浄装置及び給湯栓へ給湯する給湯管に接続され、前記給湯管に対する給湯温度の設定値を、第一設定温度と、前記食器洗浄装置での食器洗浄に適した温度である第二設定温度とに切り替える手段を有する給湯装置と、
前記食器洗浄装置へ給湯する場合に、前記給湯温度の設定値を前記第一設定温度から前記第二設定温度へ自動で変更する手段と、
前記給湯温度の設定値を前記第一設定温度から前記第二設定温度へ自動で変更する前に、前記給湯温度の設定値が変わることを報知する温度変更予告を行う手段と、
前記第二設定温度で前記食器洗浄装置へ給湯しているときに前記食器洗浄装置を一時停止させるユーザー操作を受け付ける手段と、
前記食器洗浄装置が一時停止した場合に、前記給湯温度の設定値を前記第二設定温度から前記第一設定温度へ自動で変更する手段と、
を備える給湯システム。
【請求項９】
前記食器洗浄装置が一時停止した場合に、前記食器洗浄装置の一時停止を解除するユーザー操作を受け付ける手段と、
前記食器洗浄装置の一時停止が解除された場合に、前記給湯温度の設定値が前記第一設定温度から前記第二設定温度へ自動で変更されることを報知する手段と、
を備える請求項８に記載の給湯システム。
【請求項１０】
前記食器洗浄装置の一時停止が一定時間以上解除されない場合に、前記食器洗浄装置の一時停止の解除を促す報知動作を行う手段を備える請求項９に記載の給湯システム。
【請求項１１】
前記食器洗浄装置の一時停止の解除を促す報知動作を行ってから一定時間以上経過しても前記食器洗浄装置の一時停止が解除されない場合、または、前記食器洗浄装置の一時停止の解除を促す報知動作を複数回繰り返しても前記食器洗浄装置の一時停止が解除されない場合に、前記食器洗浄装置の一時停止を自動で解除する手段を備える請求項１０に記載の給湯システム。
【発明の詳細な説明】
【技術分野】
【０００１】
本発明は、給湯システムに関する。
【背景技術】
【０００２】
食器洗浄装置における食器洗浄に適した湯の温度は、一般に、６０℃程度とされている。特許文献１に開示された食器洗浄システムは、以下のようにする。給湯器は、食器洗浄装置から送信された食器洗浄を開始する情報に応じて、給湯温度を、食器洗浄に適した温度に変更する。食器洗浄装置への給湯中に、ユーザーが手動給湯栓から給湯を開始した場合には、水量検出手段により流水量の増加が検出される。ユーザーが給湯を開始したとみなされる場合には、設定温度が食器洗浄に適した温度に変更されていることを報知手段により報知する。
【先行技術文献】
【特許文献】
【０００３】
【特許文献１】特開平１０−３１１６００号公報
【発明の概要】
【発明が解決しようとする課題】
【０００４】
特許文献１のシステムでは、ユーザーは、手動給湯栓から給湯を開始した後になって初めて、設定温度が食器洗浄に適した温度に変更されていることを知る。手動給湯栓から給湯を開始した後、しばらくの間は、ユーザーの意図しない温度の湯が手動給湯栓に供給されてしまい、ユーザーの快適度が下がる。また、ユーザーの意図しない温度で供給された湯が無駄に捨てられることで、水及びエネルギーを無駄に使ってしまう。
【０００５】
本発明は、上述のような課題を解決するためになされたもので、給湯温度の設定値が、第一設定温度から、食器洗浄装置での食器洗浄に適した温度である第二設定温度へ自動で変更された場合に、ユーザーの快適度の低下の抑制、並びに、無駄な水及びエネルギーの消費の抑制を図ることのできる給湯システムを提供することを目的とする。
【課題を解決するための手段】
【０００６】
本発明に係る給湯システムは、食器洗浄装置及び給湯栓へ給湯する給湯管に接続され、給湯管に対する給湯温度の設定値を、第一設定温度と、食器洗浄装置での食器洗浄に適した温度である第二設定温度とに切り替える手段を有する給湯装置と、食器洗浄装置へ給湯する場合に、給湯温度の設定値を第一設定温度から第二設定温度へ自動で変更する手段と、給湯温度の設定値を第一設定温度から第二設定温度へ自動で変更する前に、給湯温度の設定値が変わることを報知する温度変更予告を行う手段と、給湯栓がある場所における人の有無に関する情報を取得する手段と、を備え、場所に人がいる場合には温度変更予告を行い、場所に人がいない場合には温度変更予告を行わないものである。
また、本発明に係る給湯システムは、食器洗浄装置及び給湯栓へ給湯する給湯管に接続され、給湯管に対する給湯温度の設定値を、第一設定温度と、食器洗浄装置での食器洗浄に適した温度である第二設定温度とに切り替える手段を有する給湯装置と、食器洗浄装置へ給湯する場合に、給湯温度の設定値を第一設定温度から第二設定温度へ自動で変更する手段と、給湯温度の設定値を第一設定温度から第二設定温度へ自動で変更する前に、給湯温度の設定値が変わることを報知する温度変更予告を行う手段と、給湯栓がある場所にある少なくとも一つの電気機器の状態である近隣機器状態に関する情報を取得する手段と、を備え、現状の近隣機器状態が、場所に人がいる可能性が高いとみなせる第一パターンに該当する場合には温度変更予告を行い、現状の近隣機器状態が、場所に人がいる可能性が低いとみなせる第二パターンに該当する場合には温度変更予告を行わないものである。
また、本発明に係る給湯システムは、食器洗浄装置及び給湯栓へ給湯する給湯管に接続され、給湯管に対する給湯温度の設定値を、第一設定温度と、食器洗浄装置での食器洗浄に適した温度である第二設定温度とに切り替える手段を有する給湯装置と、食器洗浄装置へ給湯する場合に、給湯温度の設定値を第一設定温度から第二設定温度へ自動で変更する手段と、給湯温度の設定値を第一設定温度から第二設定温度へ自動で変更する前に、給湯温度の設定値が変わることを報知する温度変更予告を行う手段と、給湯栓への給湯の有無を検知する手段と、給湯栓がある場所にある少なくとも一つの電気機器の状態である近隣機器状態に関する情報を取得する手段と、近隣機器状態を分類した複数のパターンの各々のときに給湯栓への給湯が実施される確率を学習する手段と、を備え、現状の近隣機器状態が該当するパターンにおける確率が基準に比べて大きい場合には温度変更予告を行い、そうでない場合には温度変更予告を行わないものである。
また、本発明に係る給湯システムは、食器洗浄装置及び給湯栓へ給湯する給湯管に接続され、給湯管に対する給湯温度の設定値を、第一設定温度と、食器洗浄装置での食器洗浄に適した温度である第二設定温度とに切り替える手段を有する給湯装置と、食器洗浄装置へ給湯する場合に、給湯温度の設定値を第一設定温度から第二設定温度へ自動で変更する手段と、給湯温度の設定値を第一設定温度から第二設定温度へ自動で変更する前に、給湯温度の設定値が変わることを報知する温度変更予告を行う手段と、第二設定温度で食器洗浄装置へ給湯しているときに食器洗浄装置を一時停止させるユーザー操作を受け付ける手段と、食器洗浄装置が一時停止した場合に、給湯温度の設定値を第二設定温度から第一設定温度へ自動で変更する手段と、を備えるものである。
【発明の効果】
【０００７】
本発明の給湯システムによれば、給湯温度の設定値が、第一設定温度から、食器洗浄装置での食器洗浄に適した温度である第二設定温度へ自動で変更された場合に、ユーザーの快適度の低下の抑制、並びに、無駄な水及びエネルギーの消費の抑制を図ることが可能となる。
【図面の簡単な説明】
【０００８】
【図１】実施の形態１の給湯システムを模式的に示す図である。
【図２】実施の形態１の給湯システムに関するブロック図である。
【図３】実施の形態１の給湯システムが実行する制御ルーチンのフローチャートである。
【図４】台所に人がいる可能性が高いとみなせる第一パターンの内容をユーザーが変更可能にする場合の例を示す図である。
【図５】実施の形態４において第二給湯栓への給湯が実施される確率の学習について説明するための図である。
【図６】実施の形態５の給湯システムが実行する制御ルーチンのフローチャートである。
【図７】実施の形態６の給湯システムが備えるリモコンの外観を示す図である。
【発明を実施するための形態】
【０００９】
以下、図面を参照して実施の形態について説明する。各図において共通する要素には、同一の符号を付して、重複する説明を簡略化または省略する。なお、本開示における装置、器具、及び部品等の、個数、配置、向き、形状、及び大きさは、原則として、図面に示す個数、配置、向き、形状、及び大きさに限定されない。また、本開示は、以下の各実施の形態で説明する構成のうち、組合わせ可能な構成のあらゆる組合わせを含み得る。
【００１０】
実施の形態１．
図１は、実施の形態１の給湯システムを模式的に示す図である。図１に示す実施の形態１の給湯システム１は、ＨＥＭＳコントローラ１００、給湯装置２１０、浴室リモコン３１０、及び台所リモコン３２０を備える。給湯システム１は、住宅９００に備えられている。住宅９００は、浴室９１０及び台所９２０を備える。浴室リモコン３１０は、浴室９１０に設置されている。台所リモコン３２０は、台所９２０に設置されている。浴室リモコン３１０及び台所リモコン３２０は、給湯装置２１０に対するユーザーインターフェースの例である。図１では、給湯装置２１０は、住宅９００の室外に設置されている。このような構成に限らず、給湯装置２１０の一部または全部が、住宅９００の室内に設置されてもよい。給湯装置２１０は、貯湯式給湯機でもよい。以下の説明では、浴室リモコン３１０及び台所リモコン３２０を区別しないとき、または総称するときには、リモコン３００と表記することがある。
【００１１】
浴室９１０には、第一給湯栓１０が備えられている。第一給湯栓１０には、シャワー１１が接続されていてもよい。台所９２０には、第二給湯栓２０が備えられている。第二給湯栓２０は、キッチンシンクへ出湯可能でもよい。台所９２０には、食器洗浄装置２２０が備えられている。給湯管３０の上流部は、給湯装置２１０に接続されている。給湯管３０の下流部は、給湯管３０ａ，３０ｂ，３０ｃに枝分かれする。給湯管３０ａは、第一給湯栓１０に接続される。給湯管３０ｂは、第二給湯栓２０に接続される。給湯管３０ｃは、食器洗浄装置２２０に接続される。
【００１２】
第一給湯栓１０は、人が操作することで開閉される。人体の少なくとも一部を検知したときに第一給湯栓１０が自動的に開閉されてもよい。第二給湯栓２０は、人が操作することで開閉される。人体の少なくとも一部を検知したときに第二給湯栓２０が自動的に開閉されてもよい。
【００１３】
図示を省略するが、食器洗浄装置２２０は、食器を収容する洗浄槽と、洗浄槽内へ湯を自動的に出したり止めたりするための開閉弁とを備える。第一給湯栓１０、第二給湯栓２０、及び、食器洗浄装置２２０の開閉弁のうちの一つまたは二つ以上が開くと、その開いた栓または食器洗浄装置２２０に対して、給湯装置２１０から給湯管３０を介して給湯される。
【００１４】
リモコン線４１は、給湯装置２１０とリモコン３００との間をつなぐ。給湯装置２１０とリモコン３００とは、リモコン線４１を介して、双方向にデータ通信可能である。給湯装置２１０とリモコン３００とは、このように有線通信可能に接続される構成に限らず、無線通信可能に接続される構成でもよい。
【００１５】
ＨＥＭＳコントローラ１００は、住宅９００に備えられた複数の電気機器２００を管理するホームエネルギーマネジメントシステムのコントローラである。図１では、電気機器２００として、給湯装置２１０及び食器洗浄装置２２０のほかに、浴室照明２３０及び台所照明２４０を例示している。電気機器２００は、これらに限定されない。図示を省略するが、電気機器２００は、例えば、浴室乾燥機、浴室換気扇、ルームエアコン、台所換気扇、ＩＨ（Ｉｎｄｕｃｔｉｏｎ  Ｈｅａｔｉｎｇ）調理器、電子レンジなどを含んでもよい。以下の説明では、各々の電気機器２００を区別しないとき、または総称するときには、電気機器２００と表記することがある。
【００１６】
ＨＥＭＳ通信線４２は、ＨＥＭＳコントローラ１００と各々の電気機器２００との間をつなぐ。ＨＥＭＳコントローラ１００と各々の電気機器２００とは、ＨＥＭＳ通信線４２を介して、双方向にデータ通信可能である。ＨＥＭＳコントローラ１００と各々の電気機器２００とは、このように有線通信可能に接続される構成に限らず、無線通信可能に接続される構成でもよい。また、ＨＥＭＳコントローラ１００と各々の電気機器２００とは、宅内のネットワークを介して通信可能でもよい。
【００１７】
図２は、実施の形態１の給湯システム１に関するブロック図である。図２に示すように、ＨＥＭＳコントローラ１００は、通信部１０１、記憶部１０２、及び制御部１０３を備える。通信部１０１は、通信インタフェースを備える。通信部１０１は、制御部１０３の制御の下、各々の電気機器２００とデータ通信を行う。記憶部１０２は、プログラム及びデータを記憶する。制御部１０３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等（いずれも図示省略）を備える。
【００１８】
電気機器２００は、主機能部２０１、通信部２０２、センサ部２０３、記憶部２０４、及び制御部２０５を備える。主機能部２０１は、電気機器２００の本来の機能を実施するための構成を備える。例えば、給湯装置２１０の主機能部２０１は、給湯を実施するための構成を備える。食器洗浄装置２２０の主機能部２０１は、食器洗浄を実施するための構成を備える。通信部２０２は、ＨＥＭＳコントローラ１００と通信するための通信インタフェースを備える。給湯装置２１０の通信部２０２は、リモコン３００と通信するための通信インタフェースをさらに備える。センサ部２０３は、電気機器２００の動作を制御するための少なくとも一つのセンサを備える。記憶部２０４は、プログラム及びデータを記憶する。制御部２０５は、ＣＰＵ、ＲＯＭ、ＲＡＭ等（いずれも図示省略）を備える。一部の電気機器２００は、上記と異なる構成を備えていてもよい。
【００１９】
浴室リモコン３１０及び台所リモコン３２０は、類似の構成であるので、ここではリモコン３００として説明を共通化する。リモコン３００は、通信部３０１、表示部３０２、音声出力部３０３、入力部３０４、記憶部３０５、及び制御部３０６を備える。リモコン３００は、人感センサ３０７をさらに備えてもよい。通信部３０１は、給湯装置２１０と通信するための通信インタフェースを備える。表示部３０２は、液晶表示器などのディスプレイを備える。表示部３０２は、制御部３０６の制御の下、給湯装置２１０の状態に関する情報、例えば給湯温度の情報などを表示できる。音声出力部３０３は、案内音声を出力可能なスピーカーを備える。入力部３０４は、ユーザーからの操作入力を受け付ける処理を行う。入力部３０４は、ハードウェアボタンを備えてもよい。入力部３０４は、タッチパネル、タッチパッド等を備えてもよい。記憶部３０５は、プログラム及びデータを記憶する。制御部３０６は、ＣＰＵ、ＲＯＭ、ＲＡＭ等（いずれも図示省略）を備える。
【００２０】
給湯装置２１０と、浴室リモコン３１０及び台所リモコン３２０、すなわちリモコン３００との間では、例えば以下のような通信を行う。給湯装置２１０の状態に関する情報を、給湯装置２１０からリモコン３００へ送信する。ユーザーがリモコン３００の入力部３０４を操作することで入力された情報を、リモコン３００から給湯装置２１０へ送信する。リモコン３００の表示部３０２は、給湯装置２１０から受信した情報などに基づいて、ユーザーの視覚に対して情報を報知する動作を実施できる。リモコン３００の音声出力部３０３は、給湯装置２１０から受信した情報などに基づいて、ユーザーの聴覚に対して情報を報知する動作を実施できる。
【００２１】
ＨＥＭＳコントローラ１００と、電気機器２００との間では、例えば以下のような通信を行う。ＨＥＭＳコントローラ１００は、各々の電気機器２００の動作状態に関する情報を収集できる。ＨＥＭＳコントローラ１００は、各々の電気機器２００に対して指令を出せる。図１では、省略しているが、ＨＥＭＳコントローラ１００と、パーソナルコンピュータ、またはタブレットのような操作表示端末との間で、情報をやり取り可能になっていてもよい。以下の説明では、当該パーソナルコンピュータまたはタブレットのような操作表示端末のことを、単に「パーソナルコンピュータまたはタブレット」と表記する。パーソナルコンピュータまたはタブレットに、各々の電気機器２００の動作状態に関する情報を表示可能でもよい。また、ユーザーがパーソナルコンピュータまたはタブレットを操作することで、各々の電気機器２００に対して指令を出せるように構成されてもよい。
【００２２】
給湯装置２１０は、給湯管３０への給湯温度を制御できる。例えば、給湯装置２１０が貯湯タンクを備える場合には、貯湯タンクから取り出される高温水と、水道から供給される低温水との混合比を調整する混合弁を給湯管３０の上流側に設けることで、給湯管３０への給湯温度を制御できる。
【００２３】
給湯装置２１０は、給湯管３０に対する給湯温度の設定値を、第一設定温度と、第二設定温度とに切り替え可能である。第一設定温度及び第二設定温度の値は、給湯装置２１０の記憶部３０５に記憶されている。ユーザーは、浴室リモコン３１０または台所リモコン３２０の入力部３０４を操作することで、第一設定温度を、希望する温度に変更できる。第一設定温度は、通常、ユーザーが第一給湯栓１０または第二給湯栓２０への給湯を希望する温度となる。また、ユーザーがパーソナルコンピュータまたはタブレットを操作することで第一設定温度を変更可能でもよい。第二設定温度は、食器洗浄装置２２０での食器洗浄に適した温度である。第二設定温度は、例えば、５０℃〜７０℃の範囲内の値でもよい。第二設定温度は、例えば、６０℃でもよい。食器洗浄装置２２０での食器洗浄のことを以下の説明では単に「食器洗浄」と称する。第一設定温度は、３７℃〜４５℃程度に設定されることが多いと考えられる。よって、第二設定温度は、第一設定温度より高い温度になることが多いと考えられる。第二設定温度は、予め設定された値に固定されていてもよいし、浴室リモコン３１０または台所リモコン３２０、もしくはパーソナルコンピュータまたはタブレットをユーザーが操作することで変更可能でもよい。本実施の形態であれば、食器洗浄装置２２０に供給される湯の温度を、食器洗浄に適した第二設定温度に自動的に制御できるので、食器洗浄装置２２０にて優れた洗浄効果が得られるとともに、食器洗浄装置２２０の電力消費を低減できる。以下の説明では、給湯管３０に対する給湯温度の設定値、すなわち給湯装置２１０が給湯管３０へ供給する湯の温度の設定値を、単に「給湯温度の設定値」と称する。
【００２４】
本実施の形態の給湯システム１では、以下のようにする。食器洗浄装置２２０へ給湯する場合に、給湯温度の設定値を第一設定温度から第二設定温度へ自動で変更する。その際に、給湯温度の設定値を第一設定温度から第二設定温度へ自動で変更する前に、給湯温度の設定値が変わることを事前にユーザーに報知する温度変更予告を行う。仮に、給湯温度の設定値が第一設定温度から第二設定温度へ自動で変更されたことを知らずにユーザーが第一給湯栓１０または第二給湯栓２０を使用した場合には、ユーザーの意図しない温度の湯が第一給湯栓１０または第二給湯栓２０から出湯してしまい、ユーザーの快適度が下がる可能性がある。また、第一給湯栓１０または第二給湯栓２０から出湯した、ユーザーの意図しない温度の湯が無駄に捨てられることで、水及びエネルギーを無駄に使ってしまう可能性がある。これに対し、本実施の形態であれば、給湯温度の設定値を第一設定温度から第二設定温度へ自動で変更する前に、そのことを事前にユーザーに知らせることができる。それゆえ、給湯温度の設定値が第一設定温度から第二設定温度へ自動で変更されたことを知らずにユーザーが第一給湯栓１０または第二給湯栓２０を使用することを回避できる。このため、ユーザーの快適度が下がったり、水及びエネルギーを無駄にしたりすることを確実に抑制できる。
【００２５】
本実施の形態では、浴室リモコン３１０及び台所リモコン３２０の音声出力部３０３による音声案内により、温度変更予告を行う。これにより、ユーザーが浴室リモコン３１０または台所リモコン３２０を見ていない状態のときにも、給湯温度の設定値が第一設定温度から第二設定温度へ変わることをユーザーに確実に報知できる。
【００２６】
給湯装置２１０のセンサ部２０３は、給湯管３０を流れる湯の流量を検知する給湯流量センサを備えてもよい。食器洗浄装置２２０のセンサ部２０３は、給湯管３０ｃから流入する湯の流量を検知する流量センサを備えてもよい。食器洗浄装置２２０の記憶部２０４は、食器洗浄装置２２０の運転時に給湯管３０ｃから流入する湯の流量のデータを予め記憶していてもよい。食器洗浄装置２２０の制御部２０５は、食器洗浄装置２２０の運転中に、上記流量センサの信号または上記データに基づいて、給湯管３０ｃから流入する湯の流量の情報をリアルタイムにＨＥＭＳコントローラ１００へ送信するように制御してもよい。ＨＥＭＳコントローラ１００は、当該情報に基づいて、給湯管３０ｃから食器洗浄装置２２０へのリアルタイムの給湯流量のデータを給湯装置２１０へ送信してもよい。給湯装置２１０の制御部２０５は、ＨＥＭＳコントローラ１００から受信した、給湯管３０ｃから食器洗浄装置２２０へのリアルタイムの給湯流量のデータと、給湯流量センサで検知された給湯管３０の現在の給湯流量のデータとを比較することで、食器洗浄装置２２０以外への給湯、すなわち第一給湯栓１０及び第二給湯栓２０の少なくとも一方への給湯の有無を検知できる。例えば、給湯管３０ｃから食器洗浄装置２２０へのリアルタイムの給湯流量と、給湯流量センサで検知された給湯管３０の給湯流量とが一致しているとみなせる場合には、食器洗浄装置２２０以外への給湯、すなわち第一給湯栓１０及び第二給湯栓２０への給湯が無いと検知できる。給湯管３０ｃから食器洗浄装置２２０へのリアルタイムの給湯流量に比べて、給湯流量センサで検知された給湯管３０の給湯流量が多い場合には、食器洗浄装置２２０以外への給湯、すなわち第一給湯栓１０及び第二給湯栓２０の少なくとも一方への給湯があると検知できる。
【００２７】
このような構成に限らず、第一給湯栓１０もしくは給湯管３０ａに備えたセンサ、または第二給湯栓２０もしくは給湯管３０ｂに備えたセンサによって、第一給湯栓１０または第二給湯栓２０への給湯の有無を直接的に検知してもよい。当該センサが検知した情報は、ＨＥＭＳコントローラ１００を介して給湯装置２１０の制御部２０５へ送信されてもよいし、ＨＥＭＳコントローラ１００を介さずに給湯装置２１０の制御部２０５へ送信されてもよい。
【００２８】
図３は、実施の形態１の給湯システム１が実行する制御ルーチンのフローチャートである。食器洗浄装置２２０の制御部２０５は、食器洗浄装置２２０の運転を開始する必要がある場合に、給湯要求をＨＥＭＳコントローラ１００へ送信する。ＨＥＭＳコントローラ１００は、食器洗浄装置２２０からの給湯要求を給湯装置２１０の制御部２０５へ送信する。食器洗浄装置２２０からの給湯要求を給湯装置２１０の制御部２０５が受信することで、図３のルーチンの処理が開始する。
【００２９】
図３のステップＳ１で、給湯装置２１０の制御部２０５は、食器洗浄装置２２０以外への給湯、すなわち第一給湯栓１０及び第二給湯栓２０の少なくとも一方への給湯の有無を判断する。第一給湯栓１０及び第二給湯栓２０の少なくとも一方への給湯の有無は、前述したようにして検知できる。第一給湯栓１０及び第二給湯栓２０への給湯が無い場合には、ステップＳ２へ移行する。ステップＳ１で、第一給湯栓１０及び第二給湯栓２０の少なくとも一方への給湯がある場合には、ステップＳ１へ戻り、第一給湯栓１０及び第二給湯栓２０への給湯が無くなるまで待機する。
【００３０】
このように、本実施の形態では、第一給湯栓１０及び第二給湯栓２０の少なくとも一方への給湯が実行中である場合には、食器洗浄装置２２０からの給湯要求を受けても、食器洗浄装置２２０への給湯を開始しない。これにより、以下の効果が得られる。ユーザーの意図しない温度の湯が第一給湯栓１０及び第二給湯栓２０へ供給されることをより確実に抑制できる。第二設定温度と異なる温度の湯、すなわち食器洗浄に適さない温度の湯が食器洗浄装置２２０へ供給されることをより確実に抑制できる。
【００３１】
ステップＳ２では、以下のようにする。給湯装置２１０の制御部２０５は、温度変更予告を行わせる内容の指令を浴室リモコン３１０及び台所リモコン３２０へ送信する。当該指令を受信した浴室リモコン３１０及び台所リモコン３２０は、温度変更予告を実行する。すなわち、浴室リモコン３１０及び台所リモコン３２０の音声出力部３０３は、給湯温度の設定値が、食器洗浄装置２２０用の温度、すなわち第二設定温度へ変更されることを予告する内容の音声メッセージをスピーカーから出力する。ステップＳ２からステップＳ３へ移行する。ステップＳ３で、給湯装置２１０の制御部２０５は、給湯温度の設定値を第一設定温度から第二設定温度へ変更する。ステップＳ３からステップＳ４へ移行する。
【００３２】
ステップＳ４では、以下のようにする。給湯装置２１０の制御部２０５は、食器洗浄装置２２０への給湯を許可する内容の指令をＨＥＭＳコントローラ１００へ送信する。ＨＥＭＳコントローラ１００は、当該指令を食器洗浄装置２２０へ送信する。当該指令を受信した食器洗浄装置２２０が運転を開始することで、食器洗浄装置２２０への給湯が開始される。食器洗浄装置２２０は、給湯を必要とする運転が終了するまで、給湯要求をＨＥＭＳコントローラ１００へ繰り返し送信する。ＨＥＭＳコントローラ１００は、食器洗浄装置２２０から受信した給湯要求を給湯装置２１０へ送信する。食器洗浄装置２２０は、給湯を必要とする運転が終了した場合には、給湯要求がなくなったことを表す情報をＨＥＭＳコントローラ１００へ送信してもよい。ＨＥＭＳコントローラ１００は、当該情報を給湯装置２１０へ送信してもよい。ステップＳ４からステップＳ５へ移行する。
【００３３】
ステップＳ５で、給湯装置２１０の制御部２０５は、食器洗浄装置２２０への給湯が終了したかどうかを判断する。食器洗浄装置２２０への給湯が終了したかどうかは、食器洗浄装置２２０からの給湯要求が続いているかどうかによって判断できる。食器洗浄装置２２０からの給湯要求が続いている場合、すなわち食器洗浄装置２２０への給湯が終了していない場合には、ステップＳ５からステップＳ６へ移行する。
【００３４】
ステップＳ６で、給湯装置２１０の制御部２０５は、食器洗浄装置２２０以外への給湯、すなわち第一給湯栓１０及び第二給湯栓２０の少なくとも一方への給湯の有無を判断する。第一給湯栓１０及び第二給湯栓２０の少なくとも一方への給湯の有無は、前述したようにして検知できる。第一給湯栓１０及び第二給湯栓２０への給湯が無い場合には、ステップＳ６からステップＳ５に戻る。第一給湯栓１０及び第二給湯栓２０の少なくとも一方への給湯がある場合、すなわち第一給湯栓１０及び第二給湯栓２０の少なくとも一方がユーザーによって開かれたと考えられる場合には、ステップＳ６からステップＳ７へ移行する。
【００３５】
ステップＳ７では、以下のようにする。給湯装置２１０の制御部２０５は、食器洗浄装置２２０の一時停止を要求する内容の指令をＨＥＭＳコントローラ１００へ送信する。当該指令、すなわち食器洗浄装置２２０に対する一時停止要求をＨＥＭＳコントローラ１００が食器洗浄装置２２０へ送信する。一時停止要求を受けた食器洗浄装置２２０が運転を一時停止することで、食器洗浄装置２２０への給湯が停止される。ステップＳ７からステップＳ８へ移行する。
【００３６】
ステップＳ８で、給湯装置２１０の制御部２０５は、給湯温度の設定値を、第二設定温度から、通常時の設定温度すなわち第一設定温度へ変更する。ステップＳ８からステップＳ９へ移行する。ステップＳ９で、給湯装置２１０の制御部２０５は、温度変更通知を行わせる内容の指令を浴室リモコン３１０及び台所リモコン３２０へ送信する。当該指令を受信した浴室リモコン３１０及び台所リモコン３２０は、温度変更通知を実行する。すなわち、浴室リモコン３１０及び台所リモコン３２０の音声出力部３０３は、給湯温度の設定値が、食器洗浄装置２２０用の第二設定温度から、通常時の設定温度すなわち第一設定温度へ変更されたことを通知する内容の音声メッセージをスピーカーから出力する。ステップＳ９からステップＳ１へ戻る。
【００３７】
食器洗浄装置２２０は、一時停止要求が続いている間は運転を一時停止する。食器洗浄装置２２０は、一時停止要求がなくなった場合には、一時停止を解除し、運転を再開する。
【００３８】
ステップＳ５で、食器洗浄装置２２０への給湯が終了した場合、すなわち食器洗浄装置２２０からの給湯要求がなくなった場合には、ステップＳ１０へ移行する。ステップＳ１０で、食器洗浄装置２２０が運転を終了することで、食器洗浄装置２２０への給湯が停止される。ステップＳ１０からステップＳ１１へ移行する。ステップＳ１１で、給湯温度の設定値を、第二設定温度から、通常時の設定温度すなわち第一設定温度へ変更する。ステップＳ１１からステップＳ１２へ移行する。
【００３９】
ステップＳ１２で、給湯装置２１０の制御部２０５は、温度変更通知を行わせる内容の指令を浴室リモコン３１０及び台所リモコン３２０へ送信する。当該指令を受信した浴室リモコン３１０及び台所リモコン３２０は、温度変更通知を実行する。すなわち、浴室リモコン３１０及び台所リモコン３２０の音声出力部３０３は、給湯温度の設定値が、食器洗浄装置２２０用の第二設定温度から、通常時の設定温度すなわち第一設定温度へ変更されたことを通知する内容の音声メッセージをスピーカーから出力する。ステップＳ１２の後、本ルーチンの処理を終了する。
【００４０】
本実施の形態であれば、以下の効果が得られる。給湯温度の設定値を、比較的低い第一設定温度から比較的高い第二設定温度へ自動で変更する場合には、設定温度の変更を事前にユーザーに予告した後に、給湯温度の設定値を第一設定温度から第二設定温度へ変更する。逆に、給湯温度の設定値を、比較的高い第二設定温度から比較的低い第一設定温度へ自動で変更する場合には、先に給湯温度の設定値を第一設定温度から第二設定温度へ変更し、その後に、設定温度の変更をユーザーに通知する。これにより、ユーザーの意図しない温度の湯が第一給湯栓１０または第二給湯栓２０から出湯されることをより確実に抑制できる。
【００４１】
本実施の形態では、給湯装置２１０と食器洗浄装置２２０とがＨＥＭＳコントローラ１００を介して通信する構成を例に説明した。このような構成に限らず、給湯装置２１０と食器洗浄装置２２０とがＨＥＭＳコントローラ１００以外の機器を介して通信する構成でもよいし、給湯装置２１０と食器洗浄装置２２０とが直接的に通信する構成でもよい。
【００４２】
実施の形態２．
次に、実施の形態２について説明するが、上述した実施の形態１との相違点を中心に説明し、同一部分または相当部分については説明を簡略化または省略する。本実施の形態２の給湯システム１の構成は、図１及び図２の構成と同じでよい。
【００４３】
浴室リモコン３１０は、浴室９１０における人の有無を検知する人感センサ３０７を備える。浴室リモコン３１０の人感センサ３０７は、第一給湯栓１０がある場所、すなわち浴室９１０における人の有無に関する情報を取得する手段の例である。台所リモコン３２０は、台所９２０における人の有無を検知する人感センサ３０７を備える。台所リモコン３２０の人感センサ３０７は、第二給湯栓２０がある場所、すなわち台所９２０における人の有無に関する情報を取得する手段の例である。
【００４４】
本実施の形態２の給湯システム１は、前述した図３の制御ルーチンを実行するが、以下の点において異なる。本実施の形態２では、図３のステップＳ２において、以下のようにする。浴室９１０に人がいないことが浴室リモコン３１０の人感センサ３０７で検知されている場合には、浴室リモコン３１０は、音声出力部３０３からの音声による温度変更予告を実行しない。台所９２０に人がいないことが台所リモコン３２０の人感センサ３０７で検知されている場合には、台所リモコン３２０は、音声出力部３０３からの音声による温度変更予告を実行しない。浴室９１０に人がいることが浴室リモコン３１０の人感センサ３０７で検知されている場合には、浴室リモコン３１０は、音声出力部３０３からの音声による温度変更予告を実行する。台所９２０に人がいることが台所リモコン３２０の人感センサ３０７で検知されている場合には、台所リモコン３２０は、音声出力部３０３からの音声による温度変更予告を実行する。
【００４５】
本実施の形態２であれば、以下の効果が得られる。浴室９１０に人がいない場合には第一給湯栓１０から出湯する可能性が低いので、浴室リモコン３１０が音声による温度変更予告を行う必要性が低い。この場合に音声による温度変更予告を行わないようにすることで、不必要な音声案内によってユーザーが不快感を覚えることを未然に防止できる。台所９２０に人がいない場合には第二給湯栓２０から出湯する可能性が低いので、台所リモコン３２０が音声による温度変更予告を行う必要性が低い。この場合に音声による温度変更予告を行わないようにすることで、不必要な音声案内によってユーザーが不快感を覚えることを未然に防止できる。
【００４６】
本実施の形態の変形例として、浴室リモコン３１０または台所リモコン３２０に備えた人感センサ３０７以外の手段で、第一給湯栓１０または第二給湯栓２０がある場所における人の有無に関する情報を取得してもよい。例えば、以下のようにしてもよい。ダイニングキッチンに設置されているルームエアコンに人感センサが内蔵されている場合に、当該人感センサが台所９２０における人の有無を検知する。その検知した情報を、ＨＥＭＳコントローラ１００を介して給湯装置２１０の制御部２０５が取得してもよい。このように、人感センサを搭載した他の電気機器２００が検知した情報を利用してもよい。
【００４７】
実施の形態３．
次に、図４を参照して、実施の形態３について説明するが、上述した実施の形態との相違点を中心に説明し、同一部分または相当部分については説明を簡略化または省略する。本実施の形態３の給湯システム１の構成は、図１及び図２の構成と同じでよい。
【００４８】
第一給湯栓１０または第二給湯栓２０がある場所にある少なくとも一つの電気機器２００の状態を、本明細書では「近隣機器状態」と称する。本実施の形態３では、以下のようにする。給湯装置２１０の制御部２０５は、近隣機器状態に関する情報を、ＨＥＭＳコントローラ１００を介してリアルタイムに取得できる。
【００４９】
本実施の形態３の給湯システム１は、前述した図３の制御ルーチンを実行するが、以下の点において異なる。図３のステップＳ２において、以下のようにする。第一給湯栓１０がある場所、すなわち浴室９１０についての現状の近隣機器状態が、浴室９１０に人がいる可能性が高いとみなせる第一パターンに該当する場合には、浴室リモコン３１０は、音声出力部３０３からの音声による温度変更予告を実行する。浴室９１０についての現状の近隣機器状態が、浴室９１０に人がいる可能性が低いとみなせる第二パターンに該当する場合には、浴室リモコン３１０は、音声出力部３０３からの音声による温度変更予告を実行しない。第二給湯栓２０がある場所、すなわち台所９２０についての現状の近隣機器状態が、台所９２０に人がいる可能性が高いとみなせる第一パターンに該当する場合には、台所リモコン３２０は、音声出力部３０３からの音声による温度変更予告を実行する。台所９２０についての現状の近隣機器状態が、台所９２０に人がいる可能性が低いとみなせる第二パターンに該当する場合には、台所リモコン３２０は、音声出力部３０３からの音声による温度変更予告を実行しない。
【００５０】
本実施の形態３であれば、実施の形態２に類似の効果が得られる。すなわち、以下の効果が得られる。浴室９１０についての現状の近隣機器状態が、浴室９１０に人がいる可能性が低いとみなせる第二パターンに該当する場合、すなわち浴室９１０に人がいる可能性が低い場合には、第一給湯栓１０から出湯する可能性が低いので、浴室リモコン３１０が音声による温度変更予告を行う必要性が低い。この場合に音声による温度変更予告を行わないようにすることで、不必要な音声案内によってユーザーが不快感を覚えることを未然に防止できる。台所９２０についての現状の近隣機器状態が、台所９２０に人がいる可能性が低いとみなせる第二パターンに該当する場合、すなわち台所９２０に人がいる可能性が低い場合には、第二給湯栓２０から出湯する可能性が低いので、台所リモコン３２０が音声による温度変更予告を行う必要性が低い。この場合に音声による温度変更予告を行わないようにすることで、不必要な音声案内によってユーザーが不快感を覚えることを未然に防止できる。本実施の形態３であれば、浴室リモコン３１０及び台所リモコン３２０が人感センサ３０７を備えない場合でも、上記の効果が得られるので、コストを低減できる。
【００５１】
浴室９１０についての近隣機器状態として、例えば、浴室照明２３０の点灯及び消灯の状態を用いてもよい。この場合、浴室照明２３０が点灯している状態を、浴室９１０に人がいる可能性が高いとみなせる第一パターンとしてもよい。浴室照明２３０が消灯している状態を、浴室９１０に人がいる可能性が低いとみなせる第二パターンとしてもよい。
【００５２】
浴室９１０についての近隣機器状態として、例えば、浴室乾燥機あるいは浴室換気扇の稼働及び停止の状態を用いてもよい。例えば、浴室乾燥機が稼働している状態を、浴室９１０に人がいる可能性が低いとみなせる第二パターンとしてもよい。
【００５３】
複数の電気機器２００の各々の状態の組み合わせを近隣機器状態として用いてもよい。例えば、浴室照明２３０の点灯及び消灯の状態と、浴室換気扇の稼働及び停止の状態との組み合わせを近隣機器状態として用いてもよい。浴室照明２３０が消灯していても、浴室換気扇が稼働している場合には、以下のように考えることもできる。浴室９１０の窓からの日光で浴室９１０内が明るいために浴室照明２３０が不要で消灯されており、かつ、給湯時の湯気を排気するために浴室換気扇が稼働されていると考えることができる。そこで、浴室照明２３０が消灯しており、かつ、浴室換気扇が稼働している状態を、浴室９１０に人がいる可能性が高いとみなせる第一パターンとしてもよい。
【００５４】
台所９２０についての近隣機器状態として、例えば、台所照明２４０、台所換気扇、ＩＨ調理器、電子レンジ、またはルームエアコンの状態を用いてもよいし、もしくはこれらのうちの複数の電気機器２００の各々の状態の組み合わせを用いてもよい。
【００５５】
浴室９１０に人がいる可能性が高いとみなせる第一パターンの内容、浴室９１０に人がいる可能性が低いとみなせる第二パターンの内容、台所９２０に人がいる可能性が高いとみなせる第一パターンの内容、台所９２０に人がいる可能性が低いとみなせる第二パターンの内容、のうちの少なくとも一つを、ユーザーが変更可能にしてもよい。そのような変更を行うためのユーザー操作を、例えば、浴室リモコン３１０、台所リモコン３２０、パーソナルコンピュータまたはタブレットが受け付けることができるように構成してもよい。上記第一パターンまたは第二パターンの内容をユーザーが変更可能にすることで、以下の効果が得られる。
【００５６】
浴室９１０または台所９２０における窓の有無、浴室９１０または台所９２０を含む部屋の位置関係、ユーザーの生活スタイルなどに応じて、上記第一パターンまたは第二パターンの内容を決めることができる。その結果、浴室９１０または台所９２０における人の有無をより高精度に推定することが可能となる。
【００５７】
図４は、台所９２０に人がいる可能性が高いとみなせる第一パターンの内容をユーザーが変更可能にする場合の例を示す図である。図４の例では、台所照明２４０が点灯中であるか消灯中であるか、ＩＨ調理器が使用中であるか停止中であるか、電子レンジが使用中であるか停止中であるか、ルームエアコンの人感センサが人有りを検知しているか人無しを検知しているか、の各条件をユーザーが組み合わせて、第一パターンの内容を設定できる。図４の中の「どちらでも」とは、第一パターンの内容として利用しないことを意味する。すなわち、図４の例では、ＩＨ調理器が使用中であるか停止中であるか、及び、電子レンジが使用中であるか停止中であるかについては、第一パターンの内容として利用しない。図４の例では、台所照明２４０が点灯中であり、かつ、ルームエアコンの人感センサが人有りを検知していることを、第一パターンの内容とする。すなわち、この場合には、台所照明２４０が点灯中であり、かつ、ルームエアコンの人感センサが人有りを検知している場合には、台所９２０に人がいるとみなすこととして、台所リモコン３２０は、音声出力部３０３からの音声による温度変更予告を実行する。
【００５８】
実施の形態４．
次に、図５を参照して、実施の形態４について説明するが、上述した実施の形態との相違点を中心に説明し、同一部分または相当部分については説明を簡略化または省略する。本実施の形態４の給湯システム１の構成は、図１及び図２の構成と同じでよい。
【００５９】
本実施の形態４では、以下のようにする。給湯装置２１０の制御部２０５は、近隣機器状態に関する情報を、ＨＥＭＳコントローラ１００を介してリアルタイムに取得できる。給湯装置２１０の制御部２０５は、ＨＥＭＳコントローラ１００から取得した当該情報に基づいて、近隣機器状態を分類した複数のパターンの各々のときに第一給湯栓１０または第二給湯栓２０への給湯が実施される確率を学習する。以下の説明では、台所９２０にある第二給湯栓２０への給湯が実施される確率を学習する場合を例に説明する。
【００６０】
図５は、実施の形態４において第二給湯栓２０への給湯が実施される確率の学習について説明するための図である。図５に示す例では、台所照明２４０、台所換気扇、ＩＨ調理器、及び電子レンジの各々の状態の組み合わせを近隣機器状態として用いる。次のようにして、当該近隣機器状態を図５中の１番から１６番の１６個のパターンに分類する。台所照明２４０が点灯しているか消灯しているか、台所換気扇が稼働しているか停止しているか、ＩＨ調理器が過去１０分間以内に稼働しているか否か、電子レンジが過去１０分間以内に稼働しているか否か、により１６通りのパターンに分類する。例えば、２番のパターンは、台所照明２４０が消灯しており、台所換気扇が停止しており、ＩＨ調理器が過去１０分間以内に稼働しておらず、電子レンジが過去１０分間以内に稼働している、という状態である。また、１５番のパターンは、台所照明２４０が点灯しており、台所換気扇が稼働しており、ＩＨ調理器が過去１０分間以内に稼働しており、電子レンジが過去１０分間以内に稼働していない、という状態である。
【００６１】
給湯装置２１０の制御部２０５は、以下のようにして、１番から１６番のパターンの各々のときに第二給湯栓２０への給湯が実施される確率を学習してもよい。給湯装置２１０の制御部２０５は、第二給湯栓２０への給湯の有無を検知できる。第二給湯栓２０への給湯の有無は、例えば、第二給湯栓２０につながる給湯管３０ｂに備えた流量センサの信号により検知してもよい。給湯装置２１０の制御部２０５は、周期的に、ＨＥＭＳコントローラ１００から近隣機器状態の情報を受信するとともに、現在の第二給湯栓２０への給湯の有無を判断する。給湯装置２１０の制御部２０５は、その受信した情報に基づいて、現状の近隣機器状態を１番から１６番のパターンのいずれかに分類するとともに、分類したパターンの番号と、第二給湯栓２０への給湯の有無とを関連付けて、一つの事象として記憶する。当該処理を周期的に繰り返し実行することで、多数の事象に関するデータを蓄積する。その記憶されたデータに基づいて、１番から１６番のパターンの各々のときに第二給湯栓２０への給湯が実施される確率を学習する。例えば、１６番のパターンに該当する事象のうち、第二給湯栓２０への給湯有りの事象の数を、１６番のパターンに該当する事象の総数で割った値を、１６番のパターンのときに第二給湯栓２０への給湯が実施される確率とみなすように学習してもよい。図５の例は、１６番のパターンのときに第二給湯栓２０への給湯が実施される確率が３５．１％であるという学習結果を得ていることを意味する。なお、ここでは第二給湯栓２０への給湯有無検知手段を有するシステムの例を記載したが、給湯装置２１０内に内蔵した給湯有無検知手段を用いてもよい。その場合、第一給湯栓１０（シャワー１１）と第二給湯栓２０の区別ができないため、給湯予測精度は低下するが、給湯栓ごとに検知手段を備える必要がないため、経済的なメリットがある。
【００６２】
なお、近隣機器状態を分類した複数のパターンの各々のときに第一給湯栓１０または第二給湯栓２０への給湯が実施される確率を学習する処理は、給湯装置２１０の制御部２０５に代えて、ＨＥＭＳコントローラ１００が実行してもよい。
【００６３】
本実施の形態４の給湯システム１は、前述した図３の制御ルーチンを実行するが、以下の点において異なる。図３のステップＳ２において、給湯装置２１０の制御部２０５は、以下のようにする。台所９２０についての現状の近隣機器状態が１番から１６番のパターンのいずれに該当するかを判断し、その該当するパターンのときに第二給湯栓２０への給湯が実施される確率を、学習した情報に基づいて取得する。当該確率が基準（例えば１０％）に比べて大きい場合には、台所リモコン３２０は、音声出力部３０３からの音声による温度変更予告を実行する。当該確率が基準（例えば１０％）に比べて大きくない場合には、台所リモコン３２０は、音声出力部３０３からの音声による温度変更予告を実行しない。
【００６４】
本実施の形態４であれば、実施の形態２または実施の形態３に類似の効果が得られる。すなわち、以下の効果が得られる。台所９２０についての現状の近隣機器状態が、第二給湯栓２０への給湯が実施される確率が基準（例えば１０％）に比べて大きくないパターンに該当する場合には、第二給湯栓２０から出湯する可能性が低いので、台所リモコン３２０が音声による温度変更予告を行う必要性が低い。この場合に音声による温度変更予告を行わないようにすることで、不必要な音声案内によってユーザーが不快感を覚えることを未然に防止できる。本実施の形態４であれば、台所リモコン３２０が人感センサ３０７を備えない場合でも、上記の効果が得られるので、コストを低減できる。
【００６５】
本実施の形態４では、台所９２０にある第二給湯栓２０への給湯が実施される確率を学習して制御する場合を例に説明したが、類似の方法を適用することで、浴室９１０にある第一給湯栓１０への給湯が実施される確率を学習して制御してもよい。
【００６６】
実施の形態５．
次に、図６を参照して、実施の形態５について説明するが、上述した実施の形態との相違点を中心に説明し、同一部分または相当部分については説明を簡略化または省略する。本実施の形態５の給湯システム１の構成は、図１及び図２の構成と同じでよい。本実施の形態５における制御は、上述した実施の形態２，３，または４で説明した制御に類似の制御を含む。
【００６７】
図６は、実施の形態５の給湯システム１が実行する制御ルーチンのフローチャートである。食器洗浄装置２２０からの給湯要求を給湯装置２１０の制御部２０５が受信することで、図６のルーチンの処理が開始する。図６のステップＳ２１の前に、図３のステップＳ１と同じ処理を実行してもよい。
【００６８】
図６のステップＳ２１で、給湯装置２１０の制御部２０５は、例えば、以下のいずれかのようにして、第一給湯栓１０／第二給湯栓２０から出湯する可能性が高いか低いかを判断する。
（１）実施の形態２のように浴室リモコン３１０／台所リモコン３２０が人感センサ３０７を備える場合には、当該人感センサ３０７が人有りを検知している場合には第一給湯栓１０／第二給湯栓２０から出湯する可能性が高いと判定し、当該人感センサ３０７が人無しを検知している場合には第一給湯栓１０／第二給湯栓２０から出湯する可能性が低いと判定してもよい。
（２）実施の形態３のように近隣機器状態の情報を取得できる場合には、現状の近隣機器状態が第一パターンに該当する場合には第一給湯栓１０／第二給湯栓２０から出湯する可能性が高いと判定し、現状の近隣機器状態が第二パターンに該当する場合には第一給湯栓１０／第二給湯栓２０から出湯する可能性が低いと判定してもよい。
（３）実施の形態４のように近隣機器状態を分類した複数のパターンの各々のときに第一給湯栓１０／第二給湯栓２０への給湯が実施される確率を学習している場合には、現状の近隣機器状態が該当するパターンのときに第一給湯栓１０／第二給湯栓２０への給湯が実施される確率が基準（例えば１０％）に比べて大きい場合には第一給湯栓１０／第二給湯栓２０から出湯する可能性が高いと判定し、そうでない場合には第一給湯栓１０／第二給湯栓２０から出湯する可能性が低いと判定してもよい。
【００６９】
第一給湯栓１０／第二給湯栓２０から出湯する可能性が高いと判定された場合には、ステップＳ２１からステップＳ２２へ移行する。ステップＳ２２では、以下のようにする。給湯装置２１０の制御部２０５は、温度変更予告を行わせる内容の指令を浴室リモコン３１０／台所リモコン３２０へ送信する。当該指令を受信した浴室リモコン３１０／台所リモコン３２０は、温度変更予告を実行する。すなわち、浴室リモコン３１０／台所リモコン３２０の音声出力部３０３は、給湯温度の設定値が、食器洗浄装置２２０用の温度、すなわち第二設定温度へ変更されることを予告する内容の音声メッセージをスピーカーから出力する。ステップＳ２２の後の処理は、図３のステップＳ３以降の処理と同じであるので、説明を省略する。
【００７０】
第一給湯栓１０／第二給湯栓２０から出湯する可能性が低いと判定された場合には、ステップＳ２１からステップＳ２３へ移行する。ステップＳ２３で、給湯装置２１０の制御部２０５は、浴室リモコン３１０／台所リモコン３２０に音声出力部３０３からの音声による温度変更予告を実行させることなく、給湯温度の設定値を第一設定温度から第二設定温度へ変更する。ステップＳ２３からステップＳ２４へ移行する。
【００７１】
このように、本実施の形態５であれば、第一給湯栓１０／第二給湯栓２０から出湯する可能性が低い場合には、音声による温度変更予告を行わないようにすることで、不必要な音声案内によってユーザーが不快感を覚えることを未然に防止できる。
【００７２】
ステップＳ２４で、食器洗浄装置２２０への給湯が開始される。ステップＳ２４の処理は、図３のステップＳ４と同じであるので、説明を省略する。ステップＳ２４からステップＳ２５へ移行する。ステップＳ２５で、給湯装置２１０の制御部２０５は、食器洗浄装置２２０への給湯が終了したかどうかを判断する。食器洗浄装置２２０への給湯が終了したかどうかは、食器洗浄装置２２０からの給湯要求が続いているかどうかによって判断できる。ステップＳ２５で、食器洗浄装置２２０への給湯が終了した場合、すなわち食器洗浄装置２２０からの給湯要求がなくなった場合には、ステップＳ２６へ移行する。ステップＳ２６で、食器洗浄装置２２０が運転を終了することで、食器洗浄装置２２０への給湯が停止される。ステップＳ２６からステップＳ２７へ移行する。ステップＳ２７で、給湯温度の設定値を、第二設定温度から、通常時の設定温度すなわち第一設定温度へ変更する。この場合、第一給湯栓１０／第二給湯栓２０から出湯する可能性は低いので、給湯温度の設定値が変更されたことを放置する必要はない。ステップＳ２７の後、図６のルーチンの処理を終了する。
【００７３】
ステップＳ２５で、食器洗浄装置２２０への給湯が終了していない場合、すなわち食器洗浄装置２２０からの給湯要求が続いている場合には、ステップＳ２５からステップＳ２８へ移行する。ステップＳ２８では、ステップＳ２１と同じ方法で、最新の情報に基づいて、第一給湯栓１０／第二給湯栓２０から出湯する可能性が高いか低いかを再び判断する。第一給湯栓１０／第二給湯栓２０から出湯する可能性が低いと判定された場合には、ステップＳ２８からステップＳ２５へ戻る。
【００７４】
ステップＳ２８で第一給湯栓１０／第二給湯栓２０から出湯する可能性が高いと判定された場合には、ステップＳ２９へ移行する。当該場合とは、例えば以下のいずれかのような場合である。
（１）ステップＳ２１のときには浴室リモコン３１０／台所リモコン３２０が備える人感センサ３０７が人無しを検知していたが、ステップＳ２８のときには当該人感センサ３０７が人有りを検知している場合。
（２）ステップＳ２１のときには近隣機器状態が第二パターンに該当していたが、その後に近隣機器状態が変化し、ステップＳ２８のときには近隣機器状態が第一パターンに該当するようになった場合。
（３）ステップＳ２１のときには第一給湯栓１０／第二給湯栓２０への給湯が実施される確率が基準（例えば１０％）に比べて大きくないパターンに近隣機器状態が該当していたが、その後に近隣機器状態が変化し、ステップＳ２８のときには第一給湯栓１０／第二給湯栓２０への給湯が実施される確率が基準（例えば１０％）に比べて大きいパターンに近隣機器状態が該当するようになった場合。
【００７５】
ステップＳ２９で、給湯装置２１０の制御部２０５は、温度変更通知を行わせる内容の指令を浴室リモコン３１０／台所リモコン３２０へ送信する。当該指令を受信した浴室リモコン３１０／台所リモコン３２０は、温度変更通知を実行する。すなわち、浴室リモコン３１０／台所リモコン３２０の音声出力部３０３は、給湯温度の設定値が、通常時の設定温度すなわち第一設定温度から、食器洗浄装置２２０用の第二設定温度へ変更されていることを通知する内容の音声メッセージをスピーカーから出力する。ステップＳ２９の後の処理は、図３のステップＳ５以降の処理と同じである。
【００７６】
本実施の形態５であれば、以下の効果が得られる。ステップＳ２１で第一給湯栓１０／第二給湯栓２０から出湯する可能性が低いと判定され、音声による温度変更予告が行われずに給湯温度の設定値が第一設定温度から第二設定温度へ自動で変更された後に、その変更を知らずにユーザーが第一給湯栓１０／第二給湯栓２０の使用を開始することも考えられる。そのようなときに、本実施の形態５であれば、ステップＳ２８で第一給湯栓１０／第二給湯栓２０から出湯する可能性が高いか低いかを再び判断することで、ユーザーが第一給湯栓１０／第二給湯栓２０を使用する可能性があるかどうかを検知できる。そして、ユーザーが第一給湯栓１０／第二給湯栓２０を使用する可能性がある場合には、給湯温度の設定値が第一設定温度から食器洗浄装置２２０用の第二設定温度へ変更されていることを音声でユーザーに通知できる。これにより、ユーザーの意図しない温度の湯が第一給湯栓１０／第二給湯栓２０から出湯することを抑制できるので、ユーザーの快適度が下がったり、水及びエネルギーを無駄にしたりすることを抑制できる。
【００７７】
なお、図６のステップＳ２９から図３のステップＳ５へ移行した場合には、その後、以下のようにしてもよい。図３のステップＳ８またはステップＳ１１で、給湯温度の設定値を第二設定温度から第一設定温度へ変更した後、ステップＳ２１と同じ方法で、最新の情報に基づいて、第一給湯栓１０／第二給湯栓２０から出湯する可能性が高いか低いかを再び判断する。第一給湯栓１０／第二給湯栓２０から出湯する可能性が低いと判定された場合には、図３のステップＳ９またはステップＳ１２で、浴室リモコン３１０／台所リモコン３２０の音声出力部３０３は、給湯温度の設定値が第二設定温度から第一設定温度へ変更されたことを通知する内容の音声メッセージをスピーカーから出力しないようにする。このようにすることで、不必要な音声案内によってユーザーが不快感を覚えることを未然に防止できる。
【００７８】
実施の形態６．
次に、図７を参照して、実施の形態６について説明するが、上述した実施の形態との相違点を中心に説明し、同一部分または相当部分については説明を簡略化または省略する。本実施の形態６の給湯システム１の構成は、図１及び図２の構成と同じでよい。本実施の形態６における制御は、上述した実施の形態１から５のいずれかで説明した制御と組み合わせて行ってもよい。本実施の形態６の給湯システム１は、図３の制御ルーチンを実行してもよい。本実施の形態６の給湯システム１は、図６の制御ルーチンを実行してもよい。
【００７９】
図７は、実施の形態６の給湯システム１が備えるリモコン３００の外観を示す図である。本実施の形態６におけるリモコン３００は、給湯装置２１０が第二設定温度で食器洗浄装置２２０へ給湯しているときに食器洗浄装置２２０を一時停止させるユーザー操作を受け付ける手段を備える。当該手段を備えるリモコン３００は、浴室リモコン３１０でもよいし、台所リモコン３２０でもよいし、その両方でもよい。
【００８０】
図７に示すように、リモコン３００の入力部３０４は、「メニュー」ボタン、「戻る」ボタン、方向キー、「決定」ボタン、等を含む。図７で例示したリモコン３００の表示部３０２の表示例は、給湯装置２１０が第二設定温度で食器洗浄装置２２０へ給湯しているときに食器洗浄装置２２０を一時停止させるユーザー操作を受け付けるときの表示例である。この表示例では、現在の給湯温度（６０℃）の表示のほかに、『食洗機用温度設定中』という文字によるメッセージと、『食洗機を停止する場合は「戻る」を押してください』という文字によるメッセージとを表示している。「食洗機」とは食器洗浄装置２２０のことである。
【００８１】
なお、本実施の形態では、リモコン３００の入力部３０４がハードウェアボタンによりユーザー操作を受け付ける例について説明するが、このような例に限定されるものではない。例えば、表示部３０２にソフトウェアボタンを表示することでユーザー操作を受け付けるようにしてもよい。
【００８２】
ユーザーは、食器洗浄装置２２０の運転中に第一給湯栓１０または第二給湯栓２０を使用する必要が生じた場合には、リモコン３００の入力部３０４の「戻る」ボタンを押せばよい。その後、給湯システム１は、以下のようにする。図３のステップＳ７及びステップＳ８と同じ処理を行う。すなわち、給湯装置２１０の制御部２０５は、食器洗浄装置２２０に対する一時停止要求を送信する。一時停止要求を受けた食器洗浄装置２２０が運転を一時停止する。その後、給湯装置２１０の制御部２０５は、給湯温度の設定値を、第二設定温度から、通常時の設定温度すなわち第一設定温度へ変更する。食器洗浄装置２２０が一時停止したことをリモコン３００が報知してもよい。食器洗浄装置２２０が報知手段を備える場合には、当該報知手段が一時停止の理由などを報知してもよい。
【００８３】
本実施の形態であれば、上記のようにすることで、以下の効果が得られる。食器洗浄装置２２０の運転中に給湯装置２１０の給湯温度の設定値が第一設定温度から第二設定温度へ変更されているときでも、第一給湯栓１０または第二給湯栓２０の使用を希望するユーザーは、近くあるリモコン３００に対して簡単な操作、例えばワンタッチ操作を行うだけで、給湯温度の設定値を第一設定温度に戻すことができる。このため、優れた使い勝手が得られる。
【００８４】
図示を省略するが、本実施の形態におけるリモコン３００は、上記のようにして食器洗浄装置２２０が一時停止した場合に、当該一時停止を解除するユーザー操作を受け付ける手段を備えてもよい。例えば、食器洗浄装置２２０の一時停止をユーザーが解除するための動作再開スイッチを表示部３０２にソフトウェアボタンとして表示してもよい。食器洗浄装置２２０の一時停止を解除するユーザー操作が入力された場合には、給湯システム１は、以下のようにする。リモコン３００の音声出力部３０３は、給湯温度の設定値が、食器洗浄装置２２０用の温度、すなわち第二設定温度へ変更されることを予告する内容の音声メッセージをスピーカーから出力する。すなわち、温度変更予告を実行する。その後、給湯装置２１０の制御部２０５は、給湯温度の設定値を、第一設定温度から第二設定温度へ変更する。また、給湯装置２１０の制御部２０５は、食器洗浄装置２２０の一時停止の解除を要求する指令をＨＥＭＳコントローラ１００へ送信する。ＨＥＭＳコントローラ１００を介してその一時停止解除要求を受けた食器洗浄装置２２０が運転を再開する。
【００８５】
本実施の形態であれば、上記のようにすることで、以下の効果が得られる。食器洗浄装置２２０を一時停止させた状態で第一給湯栓１０または第二給湯栓２０の使用を終えたユーザーは、近くあるリモコン３００に対して簡単な操作、例えばワンタッチ操作を行うだけで、食器洗浄装置２２０の一時停止を解除し、かつ、給湯温度の設定値を第二設定温度に戻すことができる。このため、優れた使い勝手が得られる。
【００８６】
本実施の形態の給湯システム１は、食器洗浄装置２２０の一時停止が一定時間以上解除されない場合に、食器洗浄装置２２０の一時停止の解除を促す報知動作を行う手段を備えてもよい。例えば、食器洗浄装置２２０が一時停止した後に、一定時間（例えば１０分間）以上経過しても、当該一時停止を解除するユーザー操作が入力されない場合に、リモコン３００は、「しばらく給湯を使用しない場合は、動作再開スイッチを押してください」というような内容を、表示部３０２に文字で表示してもよいし、音声出力部３０３から音声で出力してもよい。これらのようにすることで、食器洗浄装置２２０の一時停止をユーザーが解除し忘れた場合にも対応できる。
【００８７】
本実施の形態の給湯システム１は、食器洗浄装置２２０の一時停止の解除を促す報知動作を行ってから一定時間以上経過しても食器洗浄装置２２０の一時停止が解除されない場合、または、食器洗浄装置２２０の一時停止の解除を促す報知動作を複数回繰り返しても食器洗浄装置２２０の一時停止が解除されない場合に、食器洗浄装置２２０の一時停止を自動で解除する手段を備えてもよい。例えば、食器洗浄装置２２０の一時停止の解除を促す報知動作を行った後、さらに一定時間（例えば１０分間）以上経過しても動作再開スイッチが押されない場合、あるいは食器洗浄装置２２０の一時停止の解除を促す報知動作を繰り返した回数が所定回数に達しても動作再開スイッチが押されない場合に、給湯装置２１０の制御部２０５は、食器洗浄装置２２０の一時停止の解除を要求する指令をＨＥＭＳコントローラ１００へ送信してもよい。この場合、ＨＥＭＳコントローラ１００を介してその一時停止解除要求を受けた食器洗浄装置２２０が運転を再開する。食器洗浄装置２２０の運転再開に伴って、給湯装置２１０の制御部２０５は、給湯温度の設定値を、第一設定温度から第二設定温度へ変更する。その変更に先立って、リモコン３００の音声出力部３０３は、給湯温度の設定値が、食器洗浄装置２２０用の温度、すなわち第二設定温度へ変更されることを予告する内容の音声メッセージをスピーカーから出力する。すなわち、温度変更予告を実行する。このとき、図６のステップＳ２１と同じ方法で第一給湯栓１０／第二給湯栓２０から出湯する可能性が高いか低いかを判断し、第一給湯栓１０／第二給湯栓２０から出湯する可能性が低いと判定された場合には、温度変更予告を省略してもよい。これらのようにすることで、食器洗浄装置２２０の一時停止をユーザーが解除し忘れた場合にも、食器洗浄装置２２０の一時停止を確実に解除できる。
【符号の説明】
【００８８】
１  給湯システム、  １０  第一給湯栓、  １１  シャワー、  ２０  第二給湯栓、  ３０  給湯管、  ３０ａ，３０ｂ，３０ｃ  給湯管、  ４１  リモコン線、  ４２  通信線、  １００  ＨＥＭＳコントローラ、  １０１  通信部、  １０２  記憶部、  １０３  制御部、  ２００  電気機器、  ２０１  主機能部、  ２０２  通信部、  ２０３  センサ部、  ２０４  記憶部、  ２０５  制御部、  ２１０  給湯装置、  ２２０  食器洗浄装置、  ２３０  浴室照明、  ２４０  台所照明、  ３００  リモコン、  ３０１  通信部、  ３０２  表示部、  ３０３  音声出力部、  ３０４  入力部、  ３０５  記憶部、  ３０６  制御部、  ３０７  人感センサ、  ３１０  浴室リモコン、  ３２０  台所リモコン、  ９００  住宅、  ９１０  浴室、  ９２０  台所
【図１】
0006597329.tif 000002
【図２】
0006597329.tif 000003
【図３】
0006597329.tif 000004
【図４】
0006597329.tif 000005
【図５】
0006597329.tif 000006
【図６】
0006597329.tif 000007
【図７】
0006597329.tif 000008